(57)【要約】【課題】  照明範囲が下方向のみならず様々な方向を照らすことができる照明装置を提供することを目的とする。【解決手段】  設置面に設置される操作部に連結され、アームと、該アームの先端に首振り機構を介して接続される照明部とから構成される照明装置であって、前記首振り機構は、前記照明部を前記アームの軸方向に対して上下方向に揺動させる首振り部と、前記照明部を前記アームの軸周りに回転させる回動部とから構成されていることを特徴とする。【選択図】  図１
2015210988.tif 000002
【特許請求の範囲】
【請求項１】
設置面に設置される操作部に連結され、アームと、該アームの先端に首振り機構を介して接続される照明部とから構成される照明装置であって、
前記首振り機構は、前記照明部を前記アームの軸方向に対して上下方向に揺動させる首振り部と、
前記照明部を前記アームの軸周りに回転させる回動部とから構成されていることを特徴とする照明装置。
【請求項２】
前記首振り部は、略コ字形状の挟持体であり、前記アームの先端を該挟持体で上下方向に揺動自在に挟持することを特徴とする請求項１記載の照明装置。
【請求項３】
前記回動部は、前記首振り部に連設されているアーム側ストッパーと、前記照明部に固設される照明側ストッパーとから構成されていることを特徴とする請求項１記載の照明装置。
【請求項４】
前記アーム側ストッパーは、平板状で前記挟持体の底部の外周に対して水平方向で端部が突出した突出部を有することを特徴とする請求項３記載の照明装置。
【請求項５】
前記照明側ストッパーは、平板状で端部に前記突出部の厚みと同程度の高さに略垂直に立ち上がる立ち上がり部を有していることを特徴とする請求項３記載の照明装置。
【請求項６】
前記照明側ストッパーは、前記アーム側ストッパーに対して回転した時に、前記立ち上がり部が前記当接部に当接することで前記照明部の回転角度を制限することを特徴とする請求項３から５のいずれか１項に記載の照明装置。
【発明の詳細な説明】
【技術分野】
【０００１】
本発明は、机上等に設置する照明装置に関し、特に、簡易な操作によって照明光の照射範囲を選択することができる照明装置に関する。
【背景技術】
【０００２】
従来、机の上での読書や作業台等での各種作業には、室内灯の他にスタンド型の照明器具を使用して局部的に部分照明を行い、所定の明るさの照明環境を確保して対象物の視認性を高め、各種作業が容易に行えるようにしている。
【０００３】
このような照明器具としては、例えば机上面などにおいて、ある程度の角度で首振り可能な状態で直接スポットライトを取り付けたものや、へ字型に折曲されたフレキシブルライトなどが知られており、このような照明器具を使用すれば、所望の部位へ向けて照明光を集中して投光させることができる。
【０００４】
上記した照明器具の例として、例えば、特許文献１に記載の照明器具がある。この照明器具は、本体と、この本体に下側連結部を介して連結したアームと、アームと上側連結部を介して連結された灯部とから構成されており、アームが本体に対して水平方向及び上下方向に回動可能であるため、本体が設置面に対して回動しなくても照明範囲の選択自由度を確保できる、としている。
【先行技術文献】
【特許文献】
【０００５】
【特許文献１】特開２００９−８７７６６号公報
【発明の概要】
【発明が解決しようとする課題】
【０００６】
しかしながら、特許文献１に記載の照明器具は、灯部を水平方向及び上下方向に回動可能であるが、それでもアームと灯部の回動範囲が狭く、例えば、灯部を手元まで近づけて、手元を照らすといったことは困難である。また、灯部からの照射光は下方向のみであり、あくまで机上面を照らすだけの照明器具で使用方法が限られてしまう。
【０００７】
本発明は係る問題に鑑みてなされたものであり、照明範囲が下方向のみならず様々な方向を照らすことができる照明装置を提供することを目的とする。
【課題を解決するための手段】
【０００８】
上記目的を達成するために、本発明の照明装置は、設置面に設置される操作部に連結され、アームと、該アームの先端に首振り機構を介して接続される照明部とから構成される照明装置であって、前記首振り機構は、前記照明部を前記アームの軸方向に対して上下方向に揺動させる首振り部と、前記照明部を前記アームの軸周りに回転させる回動部とから構成されていることを特徴とする。
【０００９】
また、本発明の照明装置は、前記首振り部は、略コ字形状の挟持体であり、前記アームの先端を該挟持体で上下方向に揺動自在に挟持することを特徴とする。
【００１０】
また、本発明の照明装置は、前記回動部は、前記首振り部に連設されているアーム側ストッパーと、前記照明部に固設される照明側ストッパーとから構成されていることを特徴とする。
【００１１】
また、本発明の照明装置は、前記アーム側ストッパーは、平板状で前記挟持体の底部の外周に対して水平方向で端部が突出した突出部を有することを特徴とする。
【００１２】
また、本発明の照明装置は、前記照明側ストッパーは、平板状で端部に前記突出部の厚みと同程度の高さに略垂直に立ち上がる立ち上がり部を有していることを特徴とする。
【００１３】
また、本発明の照明装置は、前記照明側ストッパーは、前記アーム側ストッパーに対して回転した時に、前記立ち上がり部が前記当接部に当接することで前記照明部の回転角度を制限することを特徴とする。
【発明の効果】
【００１４】
本発明によれば、前後または上下方向に可動するアームと、上下に首振りをしたりアームの軸周りに回転したりする照明部とによって、設置面のみならず天井を照らすことができたり、設置面よりも下方を照らすことができる。
【図面の簡単な説明】
【００１５】
【図１】本発明の照明装置の構成を示した斜視図である。
【図２】図２は、首振り機構の構成を示した分解図である。
【図３】図３（ａ）はアーム側ストッパーの構成を示した図であり、図３（ｂ）は照明側ストッパーの構成を示した図である。
【図４】図４（ａ）は照明部が下方を向いている状態を示した図であり、図４（ｂ）は照明部が左方向を向いている状態を示した図であり、図４（ｃ）は照明部が右方向を向いている状態を示した図であり、図４（ｄ）は照明部が上方を向いている状態を示した図である。
【図５】図５（ａ）〜（ｄ）は照明装置を机上に設置した場合における使用態様の例を示した図である。
【発明を実施するための最良の形態】
【００１６】
次に、図面を参照して本発明の構成について説明する。
図１は、本発明の照明装置の構成を示した斜視図である。
図示するように、本発明の照明装置１は、机上に設置して作業面を照らす照明装置であって、ベース１０と、操作部２０と、第１の連結部３０と、第１のアーム４０と、第２の連結部５０と、第２のアーム６０と、首振り機構７０と、ＬＥＤからなる照明部８０とから構成されている。ベース１０は、円板状であって第１のアーム４０及び第２のアーム６０を可動させても照明装置１が転倒しないように支持することができる大きさに形成されている。操作部２０は、ベース１０に簡易な構成で接続させることができ、照明部８０が有するＬＥＤの発光をＯＮ／ＯＦＦさせるための電源ボタン２１と、ＬＥＤの発光の光を調光させるための調光ツマミ２２が設けられている。操作部２０の上部には第１のアーム４０を操作部２０に連結させるための第１の連結部３０が設けられている。第１の連結部３０は操作部２０に対して旋回可能に取り付けらおり、また、第１のアーム４０の一端が第１の連結部３０を支点として前後方向に揺動可能なように連結されている。
【００１７】
また、第１の連結部３０は第１のレバー３１を有している。この第１のレバー３１を回転させることで第１の連結部３０と第１のアーム４０との連結部分を締めたり、緩めたりする。すなわち、第１のレバー３１を緩めた状態で第１のアーム４０を所定の角度に傾けた後、第１のレバー３１を締めることで第１のアーム４０を所定の角度に傾けた状態を保持することができる。
【００１８】
第１のアーム４０の他端には、第２の連結部５０を介して第２のアーム６０の一端が連結している。第２のアーム６０は、第２の連結部５０を支点にして上下に揺動可能なように連結している。第２の連結部５０も第２のレバー５１を有し、この第２のレバー５１を回転させることで第２の連結部５０と第２のアーム６０との連結部分を締めたり、緩めたりする。すなわち、第２のレバー５１を緩めた状態で第２のアーム６０を所定の角度に傾けた後、第２のレバー５１を締めることで第２のアーム６０を所定の角度に傾けた状態を保持することができる。
【００１９】
照明部８０は、第２のアーム６０の他端に首振り機構７０を介して連結されている。照明部８０は、下向きに開口したカバー体８１と、カバー体８１の内部に設置されるＬＥＤ（図示せず）と、カバー体８１の開口した部分に設置される導光体８２とから構成される。照明部８０は、首振り機構７０によって上下方向に首振りしたり、第２のアーム６０の軸周りに所定の角度で回転したりすることができる。
【００２０】
次に、図２及び図３を参照して首振り機構の構成について説明する。
図２は、首振り機構の構成を示した分解図である。
図示するように、首振り機構７０は照明部８０を上下方向に首振りさせる首振り部１００と、照明部８０を第２のアーム６０の軸周りに回動させる回動部２００とから構成されている。
首振り部１００は、略コ字形状の挟持体１０１によって形成されており、この挟持体１０１は、底部１０２と、この底部１０２の両端から略直角に延設された側面部１０３とから構成されている。それぞれの側面部１０３にはネジ１０４を挿通させるための貫通孔１０３ａが設けられている。また、それぞれの側面部１０３の内側には対向するように突起部１０５が設けられている。この突起部１０５は、首振り部１００を第２のアーム６０の他端を支点に上下方向に首振りさせたときに、第２のアーム６０の他端を当接させるものであり、この当接により第２のアーム６０の首振りの可動範囲を制限することができる。
【００２１】
挟持体１０１は、それぞれの側面部１０３で第２のアーム６０の他端部分を挟持する。
第２のアーム６０の他端を挟持体１０１内に配置し、貫通孔１０３ａから第２のアーム６０の他端が有する貫通孔６１に対してネジ１０４を挿通させることで、第２のアーム６０に対して首振り可能なように挟持体１０１を固定することができる。
【００２２】
回動部２００は挟持体１０１の底部側に設けられ、アーム側ストッパー２０１と、回転軸２０２と、照明側ストッパー２０３とから構成されている。アーム側ストッパー２０１と回転軸２０２は、挟持体１０１の底部１０２側に連設されており、回転軸２０２には、照明部８０を構成する接続ブランケット８３が回転可能に接続される。これにより、照明部８０本体が第２のアーム６０の軸周りに回転することができる。照明側ストッパー２０３は、接続ブランケット８３に固定される。そして、回転軸２０２をワッシャー２０４を介して照明側ストッパー２０３に挿通しながら接続ブランケット８３に回転可能に接続する。これにより、照明部８０本体が第２のアーム６０の軸周りに回転することが可能となる。
【００２３】
次に、図３を参照して回動部の構成について詳細に説明する。
図３（ａ）はアーム側ストッパー２０１の構成を示した図であり、図３（ｂ）は照明側ストッパー２０３の構成を示した図である。
図３（ａ）に示すように、アーム側ストッパー２０１は、上記したように挟持体１０１の底部１０２の背面側に回転軸２０２と一体となって連設されている。アーム側ストッパー２０１は、平板状の部材でかつ、多角形状で一辺が突出した突出片２０１ａを有する。一方、照明側ストッパー２０３は、平板状で端部に立ち上がり片２０３ａを有し、略中央に貫通孔２０３ｂを有する。また、照明側ストッパー２０３は、接続ブランケット８３にネジ等で固定される。
なお、照明側ストッパー２０３が有する立ち上がり片２０３ａの高さは、アーム側ストッパー２０１の突出片２０１ａの厚みとほぼ同じである。そして、アーム側ストッパー２０１と照明側ストッパー２０３は同軸上で重なるようにして組み立てられる。これによって、照明側ストッパー２０３が回転した時に立ち上がり片２０３ａが突出片２０１ａに当接することができる。
【００２４】
次に、図４（ａ）〜（ｄ）を参照して、上記回動部を用いた照明部の動作について説明する。
図４（ａ）は照明部が下方を向いている状態を示した図であり、図４（ｂ）は照明部が左方向を向いている状態を示した図であり、図４（ｃ）は照明部が右方向を向いている状態を示した図であり、図４（ｄ）は照明部が上方を向いている状態を示した図である。
図４（ａ）は、照明部８０の照明方向が下方に向いている状態で、例えば、照明装置１を机上に設置して作業面を照らすような場合である。この時、照明側ストッパー２０３の立ち上がり片２０３ａは右側に位置する。図４（ｂ）に示すように、照明部８０を時計回りに９０°回転させ、照明方向を左向き状態にすると、照明側ストッパー２０３も回転することになり立ち上がり片２０３ａがアーム側ストッパー２０１の突出片２０１ａに当接する。これにより、照明部８０は時計回りに９０°以上回転することを制限することができる。
【００２５】
図４（ｃ）に示すように、照明部８０を反時計回りに９０°回転させて照明方向を右向き状態にすることもできる。そして、図４（ｄ）に示すように、照明部８０を図４（ａ）の状態から反時計回りに１８０°回転させると上向き状態になる。このような場合、例えば、部屋の天井を照らすことができるため間接照明として照明装置１を利用することができる。照明部８０が反時計回りに１８０°回転すると、照明側ストッパー２０３も反時計回りに１８０°回転し、立ち上がり片２０３ａがアーム側ストッパー２０１の突出片２０１ａに当接する。これにより、照明部８０が反時計回りに１８０°以上回転することを制限することができる。
【００２６】
次に、照明装置の使用態様について説明する。
図５（ａ）〜（ｄ）は照明装置を机上に設置した場合における使用態様の例を示した図である。
図５（ａ）に示すように、第１のアーム４０を操作部２０に対して略垂直になるように保持し、さらに、第２のアーム６０を上方向に曲げて、第１のアーム４０と第２のアーム６０が略一直線上になるようにすることで照明部８０を高い位置にすることができる。そして、首振り機構７０により照明部８０を上方向に向けることで天井を照らすことができ、例えば常夜灯として使用することができる。
【００２７】
また、図５（ｂ）に示すように、第２のアーム６０を第２の連結部５０を支点に下方向に第１のアーム４０と略平行になるように折り曲げることで照明装置１を運搬したり収納したりする際にコンパクトにすることができる。
【００２８】
また、図５（ｃ）に示すように、第１のアーム４０を第１の連結部３０を支点にして、設置面と略平行になるように曲げることで照明部８０が机の下に位置する。これにより、机上に設置した照明装置１でも机の下を照らすことができ、物を机の下に落とした場合であっても照明装置１で照らすことができるため発見を早めることができる。
【００２９】
さらに、図５（ｄ）に示すように、第１のアーム４０を第１の連結部３０を支点に所定の角度で前方向に曲げ、第２のアーム６０を第２の連結部５０を支点に下方向に曲げる。次に、照明部８０を反時計回りに１８０°回転させると、使用者の手元で上方向に向いた照明部８０が位置する状態となる。このような場合、使用者が手元で作業する際に、手元を明るくすることができるため、例えば写真のネガや切手を見るのに役立つ。
【符号の説明】
【００３０】
１    照明装置
１０    ベース
２０    操作部
２１    電源ボタン
２２    調光ツマミ
３０    第１の連結部
３１    第１のレバー
４０    第１のアーム
５０    第２の連結部
５１    第２のレバー
６０    第２のアーム
７０    首振り機構
８０    照明部
８１    カバー体
８２    導光体
８３    接続ブランケット
１００    首振り部
１０１    挟持体
１０２    底部
１０３    側面部
１０４    ネジ
１０５    突起部
２０１    アーム側ストッパー
２０２    回転軸
２０３    照明側ストッパー
【図１】
2015210988.tif 000003
【図２】
2015210988.tif 000004
【図３】
2015210988.tif 000005
【図４】
2015210988.tif 000006
【図５】
2015210988.tif 000007
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
設置面に設置される操作部に連結され、アームと、該アームの先端に首振り機構を介して接続される照明部とから構成され、前記首振り機構は、略コ字形状の挟持体であり、前記照明部を前記アームの軸方向に対して上下方向に揺動させる首振り部と、前記照明部を前記アームの軸周りに回転させる回動部とから構成される照明装置であって、
前記回動部は、前記首振り部に連設されているアーム側ストッパーと、前記照明部に固設される照明側ストッパーとから構成され、
前記アーム側ストッパーは、平板状の多角形であって前記挟持体の底部の外周に固定して設けられ、該多角形の一辺から水平方向に２辺が突出し、該突出した２辺がなす角度が９０°である突出部を有し、
前記照明側ストッパーは、平板状で端部に前記突出部の厚みと同程度の高さに略垂直に立ち上がる立ち上がり部を有し、
前記照明部の照明方向が真下方向の状態から前記照明側ストッパーが前記アーム側ストッパーに対して回転した時に、前記立ち上がり部が前記突出部に当接することで、前記照明部の回転が時計回りに９０°以上回転すること又は反時計回りに１８０°以上回転することが制限されることを特徴とする照明装置。
【手続補正２】
【補正対象書類名】明細書
【補正対象項目名】０００８
【補正方法】変更
【補正の内容】
【０００８】
上記目的を達成するために、本発明の照明装置は、設置面に設置される操作部に連結され、アームと、該アームの先端に首振り機構を介して接続される照明部とから構成され、前記首振り機構は、略コ字形状の挟持体であり、前記照明部を前記アームの軸方向に対して上下方向に揺動させる首振り部と、前記照明部を前記アームの軸周りに回転させる回動部とから構成される照明装置であって、前記回動部は、前記首振り部に連設されているアーム側ストッパーと、前記照明部に固設される照明側ストッパーとから構成され、前記アーム側ストッパーは、平板状の多角形であって前記挟持体の底部の外周に固定して設けられ、該多角形の一辺から水平方向に２辺が突出し、該突出した２辺がなす角度が９０°である突出部を有し、前記照明側ストッパーは、平板状で端部に前記突出部の厚みと同程度の高さに略垂直に立ち上がる立ち上がり部を有し、前記照明部の照明方向が真下方向の状態から前記照明側ストッパーが前記アーム側ストッパーに対して回転した時に、前記立ち上がり部が前記突出部に当接することで、前記照明部の回転が時計回りに９０°以上回転すること又は反時計回りに１８０°以上回転することが制限されることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
設置面に設置される操作部に連結され、アームと、該アームの先端に首振り機構を介して接続される照明部とから構成され、前記首振り機構は、略コ字形状の挟持体であり、前記照明部を前記アームの軸方向に対して上下方向に揺動させる首振り部と、前記照明部を前記アームの軸周りに回転させる回動部とから構成される照明装置であって、
前記回動部は、前記首振り部に連設されているアーム側ストッパーと、前記照明部に固設される照明側ストッパーとから構成され、
前記アーム側ストッパーは、平板状の多角形であって前記挟持体の底部の外周に固定して設けられ、該多角形の一辺から水平方向に２辺が突出し、該突出した２辺がなす角度が９０°である突出部を有し、
前記照明側ストッパーは、平板状で端部に前記突出部の厚みと同程度の高さに略垂直に立ち上がる立ち上がり部を有し、
前記照明部の照明方向が真下方向の状態から前記照明側ストッパーが前記アーム側ストッパーに対して回転した時に、前記立ち上がり部が前記突出部に当接することで、前記照明部の回転が時計回りに９０°以上回転すること及び反時計回りに１８０°以上回転することが制限されることを特徴とする照明装置。
【手続補正２】
【補正対象書類名】明細書
【補正対象項目名】０００８
【補正方法】変更
【補正の内容】
【０００８】
上記目的を達成するために、本発明の照明装置は、設置面に設置される操作部に連結され、アームと、該アームの先端に首振り機構を介して接続される照明部とから構成され、前記首振り機構は、略コ字形状の挟持体であり、前記照明部を前記アームの軸方向に対して上下方向に揺動させる首振り部と、前記照明部を前記アームの軸周りに回転させる回動部とから構成される照明装置であって、前記回動部は、前記首振り部に連設されているアーム側ストッパーと、前記照明部に固設される照明側ストッパーとから構成され、前記アーム側ストッパーは、平板状の多角形であって前記挟持体の底部の外周に固定して設けられ、該多角形の一辺から水平方向に２辺が突出し、該突出した２辺がなす角度が９０°である突出部を有し、前記照明側ストッパーは、平板状で端部に前記突出部の厚みと同程度の高さに略垂直に立ち上がる立ち上がり部を有し、前記照明部の照明方向が真下方向の状態から前記照明側ストッパーが前記アーム側ストッパーに対して回転した時に、前記立ち上がり部が前記突出部に当接することで、前記照明部の回転が時計回りに９０°以上回転すること及び反時計回りに１８０°以上回転することが制限されることを特徴とする。